(57)【要約】      （修正有）【課題】シリンダ錠の固定機構において、振動等から生ずるナットの緩みを防止する。【解決手段】シリンダ錠２０をハウジング１０に嵌め込み、ストッパ４０によりシリンダ錠２０をハウジング１０に固定する。ストッパ４０の脚部４２ａ、４２ｂを錠本体部２３の両側に設けた平行平面部２５に挿し込むと、錠本体部２３の回転は防止される。止めビス４３を用いて上辺部４１をハウジング１０のビス孔１４に固定すると、ナット３０の周囲の溝部３３にストッパ４０の係止部４５ａの角部が係合し、ナット３０は回転不能に固定され、シリンダ錠２０全体がハウジング１０に対し固定される。【選択図】図１
2008075373.tif 000002
【特許請求の範囲】
【請求項１】
ハウジングにシリンダ錠を固定する場合において、円柱状の外周面に外ねじを刻設すると共に両側部に平行平面部を形成した錠本体部と、該錠本体部の前記外ねじに螺合する内ねじを有すると共に外周面の軸心方向に多数の溝部を形成したナットと、上辺部に対し両側に垂下する脚部と該脚部から後方に突出する係止部とを有し、前記脚部を前記錠本体部の平行平面部に挿し込み、前記係止部を前記ナットの溝部に係止し、前記上辺部を前記ハウジングに固定するストッパ部材とを有することを特徴とするシリンダ錠の固定機構。
【請求項２】
前記係止部は前記脚部からそれぞれ後方に突出したことを特徴とする請求項１に記載のシリンダ錠の固定機構。
【請求項３】
前記係止部は前記ナットの溝部に係止する角部を有することを特徴とする請求項１に記載のシリンダ錠の固定機構。
【請求項４】
前記ナットは前記錠本体部に螺合するに際し、所定の深さにおいて空転するようにしたことを特徴とする請求項２に記載のシリンダ錠の固定機構。
【発明の詳細な説明】
【技術分野】
【０００１】
本発明は、例えば自動販売機に取り付けて使用するシリンダ錠の固定機構に関するものである。
【背景技術】
【０００２】
自動販売機等の開閉扉に防犯用に設けるシリンダ錠は、振動や乱暴な取り扱いを受けても、シリンダ錠の取付状態が長期間に渡って確実に維持できることが必要である。
【０００３】
そこで、この種のシリンダ錠の固定機構としては、特許文献１のように前側のフランジ部と、錠本体部の外周面に螺合させるナットとの間に、門型形状の金属製ストッパを挿し込み、このストッパによってシリンダ錠が振動等で回転することがないようにしたものが知られている。
【０００４】
しかしながら従来例では、ナットとフランジ部との間に挿し込むストッパによりシリンダ錠の回転を防止しているだけであり、ナットが振動や衝撃で緩むことを避けられない。従って、ナットが緩むと、シリンダ錠が軸方向に位置ずれして、ハウジングに対し前側方向に動き出すという問題点がある。
【０００５】
【特許文献１】特開平９−２３５９２４号公報
【発明の開示】
【発明が解決しようとする課題】
【０００６】
この問題を解決するために、例えばばね等を用いてシリンダ錠の固定構造を複雑化すると、部品数が多くなりコストが増加するだけではなく、組み立てに時間がかかり、製造効率が悪くなる。
【０００７】
また、特許文献２においては、図７に示すようにシリンダ錠１の錠本体部２に螺合するナット３の周囲の所定個所に、軸方向に凹条部４を設け、この凹条部４をハウジングに形成した凸条部に嵌め込むことにより、ナット３の緩みを防止している。
【０００８】
しかし、特許文献２のシリンダ錠１においては、ハウジングへの取付時に、ナット３の凹条部４をハウジングの凸条部に位置合わせをしなければならないという煩わしさがある。
【０００９】
本発明の目的は、上述の課題を解決し、シリンダ錠に用いるナットの緩みを防止し得るシリンダ錠の固定機構を提供することにある。
【００１０】
【特許文献２】特開２００３−２３９５７９号公報
【課題を解決するための手段】
【００１１】
上述の目的を達成するための本発明に係るシリンダ錠の固定機構の技術的特徴は、ハウジングにシリンダ錠を固定する場合において、円柱状の外周面に外ねじを刻設すると共に両側部に平行平面部を形成した錠本体部と、該錠本体部の前記外ねじに螺合する内ねじを有すると共に外周面の軸心方向に多数の溝部を形成したナットと、上辺部に対し両側に垂下する脚部と該脚部から後方に突出する係止部とを有し、前記脚部を前記錠本体部の平行平面部に挿し込み、前記係止部を前記ナットの溝部に係止し、前記上辺部を前記ハウジングに固定するストッパ部材とを有することを特徴とすることにある。
【発明の効果】
【００１２】
本発明に係るシリンダ錠の固定機構によれば、使用中にシリンダ錠のナットの緩みを簡便にかつ確実に防止することができる。
【発明を実施するための最良の形態】
【００１３】
本発明を図１〜図６に図示の実施例に基づいて詳細に説明する。
図１は分解斜視図であり、鍵装置のハウジング１０には円孔１１が設けられ、その円孔１１に略円柱状のシリンダ錠２０が挿し込まれ、機能するようになっている。ハウジング１０にはロックボルト１２が移動自在に取り付けられており、例えばチェーン１３の一端を固定するようにされていて、シリンダ錠２０の操作により、ロックボルト１２を軸方向に駆動して解錠するようにされている。また、ハウジング１０には後述するストッパを固定するためのビス孔１４、自動販売機の扉に固定するためのボルト孔１５が設けられている。
【００１４】
シリンダ錠２０には、前面に鍵孔２１を有するフランジ部２２が設けられ、このフランジ部２２の後方にフランジ部と連結したロータ部を内蔵した円柱状の錠本体部２３が、フランジ部２２に対し回動自在に設けられている。錠本体部２３の周囲には、円筒状のナット３０を螺合するための外ねじ２４が刻設されており、更に錠本体部２３の両側には平行平面部２５が形成されている。錠本体部２３の外ねじ２４の先端部は、平坦な外周面２６とされ、その外径は稍々小さくされている。
【００１５】
また、ナット３０には内ねじ３１が形成され、内ねじ３１の奥側は内径が稍々小さな平坦な外周面３２とされている。ナット３０の外周面には、軸方向に多数の溝部３３が形成されている。また、錠本体部２３の先端面にはカム板２７を軸通した軸部２８が、錠本体部２３内のロータ部を介してフランジ部２２と連結されている。
【００１６】
シリンダ錠２０をハウジング１０に固定するために、門型形状の金具から成るストッパ４０が用いられている。このストッパ４０は金属板を打抜き屈曲して形成され、上辺部４１の両側から下方に２つの脚部４２ａ、４２ｂが折り曲げられ、上辺部４１にはハウジング１０のビス孔１４に止めビス４３により固定するための孔部４４が設けられている。また、２つの脚部４２ａ、４２ｂの中間よりも上方には後方に向けて、それぞれ係止部４５ａ、４５ｂが突出されている。係止部４５ａ、４５ｂはナット３０の溝部３３に係合するために角部を有している。なお、ビス孔１４と孔部４４の間には緩み止めのワッシャ４６が介在するようにされている。
【００１７】
このシリンダ錠２０をハウジング１０に固定するには、図２に示すようにナット３０を錠本体部２３の外ねじ２４と螺合して所定の位置までナット３０を嵌め込む。この場合に、錠本体部２３、ナット３０にはそれぞれ外周面２６、３２が設けられているために、ナット３０を逆方向から錠本体部２３に螺合しても螺合は不可能である。また、正規の方向から螺合しても一定の深さまで螺合すると、ナット３０の外周面３２が外ねじ２４に当接して空転し、それ以上の螺合はできず、フランジ部２２とナット３０の間にはストッパ４０の脚部４２ａ、４２ｂを挿入するための所定幅の間隙が設けられる。
【００１８】
その後に、図３に示すようにシリンダ錠２０をハウジング１０の円孔１１に嵌め込み、鍵孔２１の角度を合わせてから、図４に示すようにストッパ４０によりシリンダ錠２０をハウジング１０に固定する。この際に、ストッパ４０の脚部４２ａ、４２ｂを錠本体部２３の両側に設けた平行平面部２５に挿し込むと、錠本体部２３の回転は防止される。更に、止めビス４３を用いて上辺部４１をハウジング１０に固定すると、図５に示すようにナット３０の周囲の溝部３３にストッパ４０の係止部４５ａ、４５ｂの角部が係合し、ナット３０は回転不能に固定され、シリンダ錠２０全体がハウジング１０に対し固定される。
【００１９】
本実施例のこのような構成により、ナット３０が緩んでシリンダ錠２０がハウジング１０の前側に抜け出ることがない。ナット３０の不時の回転は防止され、長期間に渡り、シリンダ錠２０を安定して使用することができる。
【００２０】
解錠する場合には合鍵５０を鍵孔２１に挿入し、図６に示すように合鍵５０を回転させると錠本体部２３内のロータ部が回転し、カム板２７、軸部２８を介して、ロックボルト１２が内部のスプリングなどにより移動し、チェーン１３を外すことができる。
【００２１】
実施例においては、ナット３０の溝部３３に係合するストッパ４０の係止部４５ａ、４５ｂは２個としたが、例えば１個であっても係合可能であり、ナット３０の回転を防止できる。
【図面の簡単な説明】
【００２２】
【図１】分解斜視図である。
【図２】錠本体部にナットを螺合した状態の斜視図である。
【図３】錠本体部をハウジングに挿入した状態の斜視図である。
【図４】錠本体部をストッパにより固定した状態の斜視図である。
【図５】錠本体部をストッパにより固定した状態の背面図である。
【図６】キーを挿入し回転した状態の斜視図である。
【図７】従来例の錠本体部とナットの斜視図である。
【符号の説明】
【００２３】
１０  ハウジング
２０  シリンダ錠
２１  鍵孔
２２  フランジ部
２３  錠本体部
２４  外ねじ
２５  平行平面部
３０  ナット
３３  溝部
４０  ストッパ
４１  上辺部
４２ａ、４２ｂ  脚部
４３  止めビス
４５ａ、４５ｂ  係止部
５０  合鍵
【図１】
2008075373.tif 000003
【図２】
2008075373.tif 000004
【図３】
2008075373.tif 000005
【図４】
2008075373.tif 000006
【図５】
2008075373.tif 000007
【図６】
2008075373.tif 000008
【図７】
2008075373.tif 000009